(57)【要約】【課題】撮影機器で撮影した動画像のうち、静止画を撮影する準備期間に相当する部分を特定しやすくすること。【解決手段】撮影機器は、被写体像を撮像する撮像手段１０２と、撮像手段１０２に所定のフレームレートで動画撮影を行わせる撮影制御手段１０１と、動画撮影中に静止画撮影指示を受け付ける受け付け手段ＳＷ２と、動画撮影中に所定の撮影環境変化を検出する検出手段１２５と、検出手段１２５によって変化が検出された場合に、動画撮影中に取得された動画像に変化検出時を示す情報を付与する情報付与手段１０１とを備える。【選択図】図４
2012138813.tif 000002
【特許請求の範囲】
【請求項１】
被写体像を撮像する撮像手段と、
前記撮像手段に所定のフレームレートで動画撮影を行わせる撮影制御手段と、
前記動画撮影中に静止画撮影指示を受け付ける受け付け手段と、
前記動画撮影中に所定の撮影環境変化を検出する検出手段と、
前記検出手段によって前記変化が検出された場合に、前記動画撮影中に取得された動画像に前記変化検出時を示す情報を付与する情報付与手段と、
を備えることを特徴とする撮影機器。
【請求項２】
請求項１に記載の撮影機器において、
前記情報付与手段は、前記検出手段によって前記変化が検出されてから所定時間内に前記受け付け手段が静止画撮影指示を受けた場合に、前記動画像に前記変化検出時を示す情報を付与することを備えることを特徴とする撮影機器。
【請求項３】
請求項２に記載の撮影機器において、
前記情報付与手段は、前記検出手段によって前記変化が検出された時点で前記情報を付与し、前記所定時間内に前記受け付け手段が静止画撮影指示を受けない場合に、前記付与情報を消去することを備えることを特徴とする撮影機器。
【請求項４】
請求項１に記載の撮影機器において、
前記検出手段は姿勢センサを含み、当該撮影機器の縦横の姿勢変化を検出することを特徴とする撮影機器。
【請求項５】
請求項１に記載の撮影機器において、
前記検出手段は、撮影光学系の変倍率の変化を検出することを特徴とする撮影機器。
【請求項６】
請求項１に記載の撮影機器において、
前記検出手段は、撮影光学系による焦点調節状態の変化を検出することを特徴とする撮影機器。
【請求項７】
請求項１に記載の撮影機器において、
前記検出手段は、被写体輝度の変化を検出することを特徴とする撮影機器。
【請求項８】
請求項１〜７のいずれか一項に記載の撮影機器において、
前記動画撮影中に取得された動画像を編集する編集処理手段を備え、
前記編集処理手段は、前記情報付与手段によって付与された情報に基づいて、前記動画像のうち前記変化検出時から前記静止画撮影指示までに相当する画像を削除することを特徴とする撮影機器。
【請求項９】
請求項１〜８のいずれか一項に記載の撮影機器において、
前記動画撮影中に取得された動画像を再生表示する再生表示手段を備え、
前記再生表示手段は、前記情報付与手段によって付与された情報に基づいて、前記動画像のうち前記変化検出時から前記静止画撮影指示までに相当する画像を除外して再生表示することを特徴とする撮影機器。
【発明の詳細な説明】
【技術分野】
【０００１】
本発明は、撮影機器に関する。
【背景技術】
【０００２】
無駄な動画撮影を避けるための技術が知られている（特許文献１参照）。従来技術では、カメラの傾きを検知することによって動画撮影を自動停止させ、地面を撮影し続けることを防止する。
【先行技術文献】
【特許文献】
【０００３】
【特許文献１】特開平８−３０７７３７号公報
【発明の概要】
【発明が解決しようとする課題】
【０００４】
動画撮影中に静止画を撮影する場合、静止画撮影の準備（フレーミング、変倍操作、パンニングなど）中に行う動画撮影は無駄なことが多い。従来は、この点について検討されていなかった。
【課題を解決するための手段】
【０００５】
本発明による撮影機器は、被写体像を撮像する撮像手段と、撮像手段に所定のフレームレートで動画撮影を行わせる撮影制御手段と、動画撮影中に静止画撮影指示を受け付ける受け付け手段と、動画撮影中に所定の撮影環境変化を検出する検出手段と、検出手段によって変化が検出された場合に、動画撮影中に取得された動画像に変化検出時を示す情報を付与する情報付与手段と、を備えることを特徴とする。
【発明の効果】
【０００６】
本発明による撮影機器では、撮影した動画像のうち、静止画を撮影する準備期間に相当する部分を特定しやすくなる。
【図面の簡単な説明】
【０００７】
【図１】本発明の一実施の形態による一眼レフ電子カメラの要部構成を説明する図である。
【図２】本発明の一実施の形態による一眼レフ電子カメラの要部構成を説明する図である。
【図３】電子カメラの背面を例示する図である。
【図４】電子カメラの構成例を説明するブロック図である。
【図５】動画撮影開始から動画撮影停止までを時系列に説明する図である。
【図６】動画撮影開始後から静止画撮影操作が行われる場合を時系列に説明する図である。
【図７】動画撮影開始後から動画撮影停止までを時系列に説明する図である。
【図８】ハイビジョンサイズで動画撮影する場合のライブビュー画像を例示する図である。
【図９】縦位置で撮影しようと電子カメラの向きを変えた場合のライブビュー画像を例示する図である。
【図１０】撮影光学系のズーム倍率を変えた場合のライブビュー画像を例示する図である。
【図１１】ＭＰＵが動画撮影時に実行する処理の流れを説明するフローチャートである。
【図１２】ＭＰＵが動画再生時に実行する処理の流れを説明するフローチャートである。
【発明を実施するための形態】
【０００８】
以下、図面を参照して本発明を実施するための形態について説明する。図１および図２は、本発明の一実施の形態による一眼レフ電子カメラの要部構成を説明する図である。図１および図２において、カメラ本体２０１に対して着脱可能に構成される撮影レンズ鏡筒２０２が装着されている。
【０００９】
被写体からの光は、撮影レンズ鏡筒２０２の撮影光学系２１０および絞り２１１を介してカメラ本体２０１へ入射される。カメラ本体２０１に入射した被写体光は、レリーズ前は図１に例示したミラーダウン状態にある半透過のクイックリターンミラー（以下メインミラーと呼ぶ）２０３で上方のファインダー部へ向けて折り曲げられ、拡散スクリーン２０６に結像する。また、メインミラー２０３を透過した被写体光の一部はサブミラー２０４で下方へ反射され、焦点検出用光束として焦点検出用ラインセンサ２０７へ入射される。焦点検出用ラインセンサ２０７は、撮影光学系２１０による焦点調節状態を検出する焦点検出処理（公知の瞳分割方式のＡＦ処理）において用いられる。
【００１０】
拡散スクリーン２０６に結像した被写体光はさらに、ペンタプリズム２０８へ入射される。ペンタプリズム２０８は、入射された被写体光を接眼光学系２０９へ導く。撮影者は、接眼光学系２０９を通してファインダーによる被写体像を観察する。
【００１１】
レリーズ後は、図２に例示したミラーアップ位置へメインミラー２０３が回動し、被写体光はメカニカルシャッター２０５を介して撮像素子１０２へ導かれ、その撮像面上に被写体像を結像する。撮像素子１０２は、画素に対応する複数の光電変換素子を備えたＣＭＯＳイメージセンサなどによって構成される。撮像素子１０２は、撮像面上に結像されている被写体像を撮像し、被写体像の明るさに応じた光電変換信号を出力する。
【００１２】
レンズ駆動機構２１４は、撮影光学系２１０を構成するフォーカス調節レンズを光軸方向に進退移動させる。フォーカス調節レンズの移動方向および移動量は、カメラ本体２０１側から指示される。なお、図を簡単にするため、撮影光学系２１０を単レンズとして表している。
【００１３】
図１のミラーダウン状態は、撮影者が接眼光学系２０９を介して被写体像を観察する撮影準備状態である。この状態で焦点検出を行う場合、電子カメラは焦点検出用ラインセンサ２０７を用いて焦点検出を行う。
【００１４】
図２のミラーアップ状態は、撮影時と同様に被写体光が全て撮像素子１０２へ導かれる。この状態で焦点検出を行う場合、電子カメラは撮像素子１０２からの出力信号に基づいて焦点検出を行う。
【００１５】
図３は、電子カメラの背面を例示する図である。図３において、接眼窓１４１と、背面液晶モニタ１４０と、「ＡＦＯＮ」ボタン１２３Ａと、「マルチセレクター」１２３Ｂと、「中央ボタン」１２３Ｃと、「ＬＶ」ボタン１２３Ｄとを有する。観察者は、ミラーダウン状態において接眼窓１４１から被写体像を観察する。背面液晶モニタ１４０は、撮影画像を再生表示したり、操作メニュー画面を表示したりする。観察者は、ミラーアップ状態において被写体像を観察する場合、背面液晶モニタ１４０上に表示されるライブビュー画像を観察する。ライブビュー画像は、撮像素子１０２によって所定のフレームレートで撮像された画素データに基づいてリアルタイムに再生されるモニタ用の画像である。
【００１６】
「ＡＦＯＮ」ボタン１２３Ａは、押下操作に応じて電子カメラに焦点検出処理を開始させるための操作信号を発する操作部材である。「マルチセレクター」１２３Ｂは、マルチセレクター上の押下位置に応じた操作信号（たとえば、上操作信号、下操作信号、、左操作信号、右操作信号）を発する操作部材である。「中央ボタン」１２３Ｃは、押下操作に応じて操作信号を発する操作部材である。「ＬＶ」ボタン１２３Ｄは、押下操作に応じて電子カメラにライブビュー画像の再生表示を開始させるための操作信号を発する操作部材である。これら操作部材は、後述する設定操作部材１２３（図４）に含まれる。
【００１７】
図４は、上述した電子カメラの構成例を説明するブロック図である。ＭＰＵ１０１は、電子カメラの制御を司る。撮像素子１０２は、ＣＭＯＳイメージセンサなどによって構成される。
【００１８】
撮像素子１０２からの出力信号はＡ／Ｄ変換回路１０３へ導かれてデジタルデータに変換される。撮像素子およびＡ／Ｄ変換回路１０３はタイミング回路１０４から出力される駆動信号により、所定のタイミングで駆動される。画像処理制御回路１０５は、光電変換された画像データに対して所定の画像処理（ホワイトバランス調整、シャープネス調整、ガンマ補正、階調調整、補間処理等）を行う。ＳＤＲＡＭ１０６は、画像処理された画像データを一時的に記憶する。
【００１９】
画像用記録媒体１０７は、たとえばメモリカードによって構成される。画像処理制御回路１０５は、Exifと呼ばれるファイル形式で画像ファイルを生成し、該画像ファイルを画像用記録媒体１０７へ記録する。画像ファイルには、画像データおよび撮影データが含まれる。画像データの形式は、ＲＡＷやＪＰＥＧ、ＴＩＦＦなどのデータ形式が選択可能に構成されている。
【００２０】
背面液晶制御回路１０８は、背面液晶モニタ１４０（図３）の表示を制御する。動画記録制御回路１０９は、動画撮影時に所定のフレームレートで取得した画像群によって構成される動画像を所定の形式のファイルに格納し、後述する音声データとともに記録媒体１０７へ記録する動画撮影時の記録処理を制御する。音声制御回路１１０は、動画撮影時に内蔵マイク１３１または外部接続マイク端子１３３に接続されている外部マイク（不図示）で集音された音声データをＭＰＵ１０１へ出力する。音声制御回路１１０はさらに、動画再生時に、ＭＰＵ１０１からの音声データに基づく音を内蔵スピーカ１３２で再生させる。
【００２１】
ファインダ内表示制御回路１１１は、ファインダ内で表示を行うファインダ内液晶１１３と、ファインダ内液晶１１３を照明するファインダ内バックライト１１２とを制御する。スーパーインポーズ表示回路１１４は、ファインダ内で測距エリア（撮影画面内で焦点検出に用いる領域）を示す表示を制御する。測光回路１１５は測光センサを含み、該測光センサの出力に基づく測光に関するデータ（被写体輝度）をＭＰＵ１０１へ出力する。
【００２２】
露出制御回路１１６は、被写体輝度および撮像素子１０２の撮像感度に基づいてシャッタースピードおよび絞り値を演算し、この演算結果を用いてシャッター制御部１１７および絞り制御部１１８を制御する。レンズ情報入力回路１１９は、撮影レンズ鏡筒２０２から開放絞り値、焦点距離、射出瞳などの情報を通信によって取得し、該取得情報をＭＰＵ１０１へ出力する。
【００２３】
焦点検出回路１２０は、焦点検出用ラインセンサ２０７（図１）からの出力信号をＡ／Ｄ変換してＭＰＵ１０１へ出力する。ＭＰＵ１０１は、焦点検出用ラインセンサ２０７からの出力信号に基づいて公知の位相差検出演算処理を施すことにより、撮影光学系２１０の異なる領域を通過した一対の焦点検出用光束によって得られる一対の像の像ズレ量を検出し、該像ズレ量およびレンズ情報入力回路１１９による取得情報に基づいてフォーカス調節レンズの移動方向および移動量を演算する。
【００２４】
レンズ駆動回路１２１はレンズ駆動機構２１４へ指示を送り、上記フォーカス調節レンズの移動方向および移動量にしたがってフォーカス調節レンズを移動させる。これによりオートフォーカス調節が行われる。
【００２５】
モード設定回路１２２は、露出、オートフォーカス、画像などに関する各種モード設定を行う。設定操作部材１２３は、各設定操作に応じた操作信号をＭＰＵ１０１へ出力する。ＳＷ１は、レリーズボタンの第１ストロークに連動する半押しスイッチである。ＳＷ２は、レリーズボタンの第１ストロークより深い第２ストロークに連動する全押しスイッチである。
【００２６】
ＵＳＢ接続端子１２４は、カメラ本体２０１とパソコンやアクセサリを接続するための端子である。加速度センサ１２５は、カメラ本体２０１の姿勢や構図の変化を検出し、検出信号をＭＰＵ１０１へ出力する。
【００２７】
本実施の形態は、動画記録およびその再生処理に特徴を有するので、以下の説明は動画に関する処理を中心に説明する。
＜通常動画撮影の場合＞
上記電子カメラによる通常の動画撮影は以下の手順で行う。
(i)ライブビュー画像の再生表示
ＭＰＵ１０１は、「ＬＶ」ボタン１２３Ｄの押下を示す操作信号が入力されると、ミラーアップ状態（図２）にして背面液晶モニタ１４０にライブビュー画像の表示を開始させる。
【００２８】
(ii)ピント合わせ
ＭＰＵ１０１は、「ＡＦＯＮ」ボタン１２３Ａの押下を示す操作信号が入力されると、上記焦点検出回路１２０を用いずにオートフォーカス調節を行う。ＭＰＵ１０１は、撮像素子１０２の所定画素からの出力信号（画素データ）を用いてコントラストを検出する公知のコントラスト検出方式の焦点検出処理を行う。具体的には、上記フォーカス調節レンズを進退移動させながら、画像のコントラストが最大になるレンズ位置を探し、該レンズ位置へフォーカス調節レンズを移動させることによってフォーカス調節を行う。
【００２９】
(iii)動画撮影開始
ＭＰＵ１０１は、「中央ボタン」１２３Ｃの押下を示す操作信号が入力されると、動画撮影処理を開始させる。
【００３０】
(iv)動画撮影停止
ＭＰＵ１０１は、動画撮影中に再度「中央ボタン」１２３Ｃの押下を示す操作信号が入力されると、動画撮影処理を停止させる。
【００３１】
(v)ライブビュー画像の再生表示停止
ＭＰＵ１０１は、ライブビュー画像の表示中に「ＬＶ」ボタン１２３Ｄの押下を示す操作信号が入力されると、ライブビュー画像の表示を終了させ、ミラーダウン状態（図１）にする。
【００３２】
図５は、上記(iii)動画撮影開始から上記(iv)動画撮影停止までを時系列に説明する図である。ＭＰＵ１０１は、動画撮影開始時点から動画撮影停止時点までの黒帯相当時間に、所定のフレームレート、たとえば６０フレーム／毎秒で撮像を繰り返し、取得した画像群によって構成される動画像を所定の形式のファイルに格納して画像用記録媒体１０７へ記録する。ＭＰＵ１０１は、記録した動画像ファイルによる動画像を再生表示する場合、再生開始時点から再生終了時点までの黒帯相当時間に、動画撮影時と同様のフレームレートで再生を行う。
【００３３】
＜動画撮影中に静止画撮影を行う場合（その１）＞
動画撮影中に静止画撮影する場合は以下の手順で行う。
(i)ライブビュー画像の再生表示
ＭＰＵ１０１は、「ＬＶ」ボタン１２３Ｄの押下を示す操作信号が入力されると、ミラーアップ状態（図２）にして背面液晶モニタ１４０にライブビュー画像の表示を開始させる。
【００３４】
(ii)ピント合わせ
ＭＰＵ１０１は、「ＡＦＯＮ」ボタン１２３Ａの押下を示す操作信号が入力されると、上記焦点検出回路１２０を用いずにオートフォーカス調節を行う。ＭＰＵ１０１は、撮像素子１０２の所定画素からの出力信号（画素データ）を用いてコントラストを検出する公知のコントラスト検出方式の焦点検出処理を行う。
【００３５】
(iii)動画撮影開始
ＭＰＵ１０１は、「中央ボタン」１２３Ｃの押下を示す操作信号が入力されると、動画撮影処理を開始させる。
【００３６】
(iv)構図変更または変倍率変更を検知
ＭＰＵ１０１は、動画撮影中の加速度センサ１２５からの検出信号に基づいて横位置および縦位置間の姿勢変化、パンニングを検知する。図８は、ハイビジョンサイズで動画撮影する場合のライブビュー画像を例示する図である。たとえば、撮影者が人物を縦位置で撮影しようと電子カメラの向きを変えた場合（図９）、ＭＰＵ１０１は加速度センサ１２５からの検出信号からこれを検知する。一般に、姿勢変化やパンニングの後は静止画撮影される可能性が高い。
【００３７】
また、ＭＰＵ１０１は、動画撮影中にレンズ情報入力回路１１９から入力される通信情報により、撮影レンズ鏡筒２０２の焦点距離の変化（ズーム倍率の変化）を検知する。たとえば、撮影者が図８における背景に含まれる「船」を拡大して撮影しようと撮影光学系２１０のズーム倍率を変えた場合（図１０）、ＭＰＵ１０１はレンズ情報入力回路１１９による取得情報からこれを検知する。一般に、変倍操作の後は静止画撮影される可能性が高い。
【００３８】
(v)静止画撮影、動画撮影停止、ライブビュー画像の再生表示停止
ＭＰＵ１０１は、全押しスイッチＳＷ２から操作信号が入力されると動画撮影処理を停止し、静止画撮影処理を行う。ライブビュー画像の表示も終了させ、ミラーダウン状態（図１）する。
【００３９】
図６は、上記(iii)動画撮影開始後から上記(v)静止画撮影操作が行われる場合を時系列に説明する図である。ＭＰＵ１０１は、動画撮影開始時点から構図変更または変倍率変更を検知するまでの黒帯に相当する時間に、たとえば６０フレーム／毎秒で撮像を繰り返す。
【００４０】
ＭＰＵ１０１は、構図変更または変倍率変更を検知した以降も、静止画撮影までの斜線帯相当時間に６０フレーム／毎秒で撮像を継続する。ＭＰＵ１０１は、黒帯相当時間に取得した画像群によって構成される動画像、および斜線帯相当時間に取得した画像群によって構成される動画像を、それぞれ所定の形式のファイルに格納して画像用記録媒体１０７へ記録する。ＭＰＵ１０１はさらに、全押しスイッチＳＷ２の操作時に撮影した静止画像を、所定形式のファイルに格納して画像用記録媒体１０７へ記録する。
【００４１】
ＭＰＵ１０１は、動画像ファイルによる動画像を再生表示する場合、再生開始時点から黒帯相当時間に記録した動画像のみを、動画撮影時と同様のフレームレートで再生を行う。構図変更または変倍率変更を検知してから静止画撮影するまでの斜線帯相当時間に取得した動画像は、「不要部分」の候補として再生を省略する。
【００４２】
＜動画撮影中に静止画撮影を行う場合（その２）＞
静止画撮影後も動画撮影を継続する場合は以下の手順で行う。上記「その１」および本説明による「その２」のうちいずれを行うかは、メニュー操作により選択可能に構成される。
(i)ライブビュー画像の再生表示
ＭＰＵ１０１は、「ＬＶ」ボタン１２３Ｄの押下を示す操作信号が入力されると、ミラーアップ状態（図２）にして背面液晶モニタ１４０にライブビュー画像の表示を開始させる。
【００４３】
(ii)ピント合わせ
ＭＰＵ１０１は、「ＡＦＯＮ」ボタン１２３Ａの押下を示す操作信号が入力されると、上記焦点検出回路１２０を用いずにオートフォーカス調節を行う。ＭＰＵ１０１は、撮像素子１０２の所定画素からの出力信号（画素データ）を用いてコントラストを検出する公知のコントラスト検出方式の焦点検出処理を行う。
【００４４】
(iii)動画撮影開始
ＭＰＵ１０１は、「中央ボタン」１２３Ｃの押下を示す操作信号が入力されると、動画撮影処理を開始させる。
【００４５】
(iv)構図変更または変倍率変更を検知
ＭＰＵ１０１は、動画撮影中の加速度センサ１２５からの検出信号に基づいて横位置および縦位置間の姿勢変化、パンニングを検知する。また、ＭＰＵ１０１は、動画撮影中にレンズ情報入力回路１１９から入力される通信情報により、撮影レンズ鏡筒２０２の焦点距離の変化（ズーム倍率の変化）を検知する。
【００４６】
(v)静止画撮影、動画撮影中断
ＭＰＵ１０１は、全押しスイッチＳＷ２から操作信号が入力されると動画撮影処理を中断し、静止画撮影処理を行う。
(vi)動画撮影再開
ＭＰＵ１０１は、静止画撮影を終了すると、動画撮影処理を再開させる。
【００４７】
(vii)動画撮影停止
ＭＰＵ１０１は、動画撮影中に再度「中央ボタン」１２３Ｃの押下を示す操作信号が入力されると、動画撮影処理を停止させる。
【００４８】
(viii)ライブビュー画像の再生表示停止
ＭＰＵ１０１は、ライブビュー画像の表示中に「ＬＶ」ボタン１２３Ｄの押下を示す操作信号が入力されると、ライブビュー画像の表示を終了させ、ミラーダウン状態（図１）にする。
【００４９】
図７は、上記(iii)動画撮影開始後から上記(vii)動画撮影停止までを時系列に説明する図である。ＭＰＵ１０１は、動画撮影開始時点から構図変更または変倍率変更を検知するまでの黒帯に相当する時間に、たとえば６０フレーム／毎秒で撮像を繰り返す。
【００５０】
ＭＰＵ１０１は、構図変更または変倍率変更を検知した以降も、静止画撮影までの斜線帯相当時間に６０フレーム／毎秒で撮像を継続する。ＭＰＵ１０１はさらに、静止画撮影後、撮像を再開し、動画撮影停止までの網掛け帯相当時間に６０フレーム／毎秒で撮像する。
【００５１】
ＭＰＵ１０１は、黒帯相当時間に取得した画像群によって構成される動画像、斜線帯相当時間に取得した画像群によって構成される動画像、静止画撮影後に再開して網掛け帯相当時間に取得した画像群によって構成される動画像を、それぞれ所定の形式のファイルに格納して画像用記録媒体１０７へ記録する。ＭＰＵ１０１はさらに、全押しスイッチＳＷ２の操作時に撮影した静止画像を、所定形式のファイルに格納して画像用記録媒体１０７へ記録する。
【００５２】
ＭＰＵ１０１は、記録した動画像ファイルによる動画像を再生表示する場合、再生開始時点から黒帯相当時間に記録した動画像と、静止画撮影後に再開して網掛け帯相当時間に記録した動画像とを、それぞれ動画撮影時と同様のフレームレートで再生を行う。構図変更または変倍率変更を検知してから静止画撮影するまでの斜線帯相当時間に取得した動画像は「不要部分」の候補として再生を省略する。
【００５３】
上記ＭＰＵ１０１が実行する処理の流れについて、図１１および図１２に例示するフローチャートを参照して説明する。ＭＰＵ１０１は、あらかじめメニュー操作によって動画撮影を行うように設定されている場合に図１１による処理を起動する。
【００５４】
図１１のステップＳ１において、ＭＰＵ１０１は、「ＬＶ」ボタン１２３ＤがＯＮされたか否かを判定する、ＭＰＵ１０１は、「ＬＶ」ボタン１２３Ｄの押下を示す操作信号が入力されるとステップＳ１を肯定判定してステップＳ２へ進み、「ＬＶ」ボタン１２３Ｄの押下を示す操作信号が入力されない場合にはステップＳ１を否定判定し、当該判定処理を繰り返す。
【００５５】
ステップＳ２において、ＭＰＵ１０１は、ライブビュー画像の再生表示を開始させてステップＳ３へ進む。ステップＳ４において、ＭＰＵ１０１は、「中央ボタン」１２３Ｃの押下を示す操作信号が入力されたか否かを判定する、ＭＰＵ１０１は、「中央ボタン」１２３Ｃの押下を示す操作信号が入力されるとステップＳ３を肯定判定してステップＳ４へ進み、「中央ボタン」１２３Ｃの押下を示す操作信号が入力されない場合にはステップＳ３を否定判定し、当該判定処理を繰り返す。
【００５６】
ステップＳ４において、ＭＰＵ１０１は、動画撮影処理を開始させてステップＳ５へ進む。ステップＳ５において、ＭＰＵ１０１は、上述した姿勢変化、または変倍率の変化の有無を判定する。ＭＰＵ１０１は、加速度センサ１２５からの検出信号およびレンズ情報入力回路１１９からの通信情報に基づいて「変化あり」を判定した場合にステップＳ５を肯定判定してステップＳ６へ進む。ＭＰＵ１０１は、「変化あり」を判定しない場合にはステップＳ５を否定判定してステップＳ１１へ進む。
【００５７】
ステップＳ６において、ＭＰＵ１０１は、動画像を構成するフレーム画像のうち、電子カメラの姿勢が変わり始めた時刻（または変倍率が変わり始めた時刻）に対応する画像にチャプタを記録してステップＳ７へ進む。ステップＳ７において、ＭＰＵ１０１は、全押しスイッチＳＷ２がＯＮされたか否かを判定する。ＭＰＵ１０１は、全押しスイッチＳＷ２から操作信号が入力された場合にステップＳ７を肯定判定してステップＳ８へ進む。ＭＰＵ１０１は、全押しスイッチＳＷ２から操作信号が入力されたない場合には、ステップＳ７を否定判定してステップＳ１１へ進む。
【００５８】
ステップＳ８において、ＭＰＵ１０１は、ライブビュー画像の再生表示を停止させるとともに、動画撮影処理を停止させてステップＳ９へ進む。ステップＳ９において、ＭＰＵ１０１は、たとえば、露出制御回路１１６で演算されたシャッタースピードおよび絞り値で静止画撮影処理を行ってステップＳ１０へ進む。
【００５９】
ステップＳ１０において、ＭＰＵ１０１は撮影終了か否かを判定する。ＭＰＵ１０１は、メニュー操作によって＜動画撮影中に静止画撮影を行う場合（その１）＞が選択されている場合は、ステップＳ１０を肯定判定して図１２のステップＳ２１へ進む。この場合は撮影終了である。ＭＰＵ１０１は、メニュー操作によって＜動画撮影中に静止画撮影を行う場合（その２）＞が選択されており、かつ「中央ボタン」１２３Ｃの押下を示す操作信号が入力されるとステップＳ１０を肯定判定して図１２のステップＳ２１へ進む。この場合も撮影終了である。ＭＰＵ１０１は、上記に該当しない場合は、ステップＳ１０を否定判定してステップＳ４へ戻る。この場合は再び動画撮影を行いながら上述した処理を繰り返す。
【００６０】
ステップＳ５を否定判定して進むステップＳ１１において、ＭＰＵ１０１は、再び「ＬＶ」ボタン１２３ＤがＯＮされたか否かを判定する、ＭＰＵ１０１は、「ＬＶ」ボタン１２３Ｄの押下を示す操作信号が入力されるとステップＳ１１を肯定判定してステップＳ８へ進み、「ＬＶ」ボタン１２３Ｄの押下を示す操作信号が入力されない場合にはステップＳ１１を否定判定し、ステップＳ５へ戻る。ステップＳ５へ戻る場合は、動画撮影を継続する。
【００６１】
ステップＳ７を否定判定して進むステップＳ１２において、ＭＰＵ１０１はタイムアップか否かを判定する。ＭＰＵ１０１は、ステップＳ５を肯定判定してからの経過時間が、たとえば３秒間を経過した場合にステップＳ１２を肯定判定してステップＳ１３へ進む。ＭＰＵ１０１は、ステップＳ５を肯定判定してからの経過時間が３秒間に満たない場合にはステップＳ１２を否定判定し、ステップＳ７へ戻る。ステップＳ７へ戻る場合は「変化」が静止画撮影の準備である可能性があるので、チャプタを消去しないで動画撮影停止操作を待つ。
【００６２】
ステップＳ１３において、ＭＰＵ１０１は、ステップＳ６で記録したチャプタを消去してステップＳ５へ戻る。ステップＳ５へ戻る場合は、「変化」が静止画撮影の準備でなかったと判断して動画撮影を継続する。
【００６３】
図１２のステップＳ２１以降は動画再生処理に相当する。図１２のステップＳ２１において、ＭＰＵ１０１は、上記黒帯相当時間内に取得した動画像のうち１コマ（たとえば、先頭フレームの画像）を背面液晶モニタ１４０に再生表示させてステップＳ２２へ進む。撮影者は、動画再生をさせる場合に「中央ボタン」１２３Ｃを押下操作する。
【００６４】
ステップＳ２２において、ＭＰＵ１０１は、「中央ボタン」１２３Ｃの押下を示す操作信号が入力されたか否かを判定する、ＭＰＵ１０１は、「中央ボタン」１２３Ｃの押下を示す操作信号が入力されるとステップＳ２２を肯定判定してステップＳ２３へ進み、「中央ボタン」１２３Ｃの押下を示す操作信号が入力されない場合にはステップＳ２２を否定判定し、当該判定処理を繰り返す。
【００６５】
ステップＳ２３において、ＭＰＵ１０１は、動画再生処理を開始してステップＳ２４へ進む。ステップＳ２４において、ＭＰＵ１０１は、静止画準備開始位置（本例ではチャプタ）を検出したか否かを判定する。ＭＰＵ１０１は、チャプタを検出した場合にステップＳ２４を肯定判定してステップＳ２５へ進む。ＭＰＵ１０１は、チャプタを検出しない場合には、ステップＳ２４を否定判定し、動画像を最終フレームまで再生表示して図１２による処理を終了する。
【００６６】
ステップＳ２５において、ＭＰＵ１０１はチャプタで動画再生を停止する。具体的には、検出したチャプタの１つ前のフレーム画像まで再生してから動画再生を停止し、ステップＳ２６へ進む。ＭＰＵ１０１は、停止したフレームの画像を背面液晶モニタ１４０に表示させておく。
【００６７】
ステップＳ２６において、ＭＰＵ１０１は警告表示を行う。ＭＰＵ１０１は、たとえば「未再生部分があります。不要部分として削除してよいですか？」というメッセージを背面液晶モニタ１４０に表示中のフレーム画像に重ねて表示させて、ステップＳ２７へ進む。
【００６８】
ステップＳ２７において、ＭＰＵ１０１は不要部分を削除するか否かを判定する。ＭＰＵ１０１は、「中央ボタン」１２３Ｃから削除を指示する操作信号が入力されるとステップＳ２７を肯定判定してステップＳ２８へ進み、「中央ボタン」１２３Ｃから削除を指示する操作信号が入力されない場合にはステップＳ２７を否定判定し、ステップＳ２９へ進む。
【００６９】
ステップＳ２８において、ＭＰＵ１０１は、画像用記録媒体１０７に記録されている動画像のうち、当該チャプタから静止画撮影までの斜線帯相当時間（図６、図７）に取得した動画像を不要部分として削除する設定をしてステップＳ２９へ進む。
【００７０】
ステップＳ２９において、ＭＰＵ１０１は全チャプタについて終了したか否かを判定する。ＭＰＵ１０１は、ステップＳ２４で検出した全チャプタについて上記ステップＳ２５〜Ｓ２８の処理を行った場合にステップＳ２９を肯定判定してステップＳ３０へ進む。なお、ステップＳ２９を肯定判定する場合は、残りの動画像を最終フレームまで再生表示してステップＳ３０へ進む。一方、全チャプタについて上記ステップＳ２５〜Ｓ２８の処理を行っていない場合には、ＭＰＵ１０１は、ステップＳ２９を否定判定してステップＳ３１へ進む。
【００７１】
ステップＳ３０において、ＭＰＵ１０１は、ステップＳ２８において削除設定した動画像を削除するように編集を行い、編集後の動画像ファイルを作成して図１２による処理を終了する。ＭＰＵ１０１は、編集後の動画像ファイルを画像用記録媒体１０７へ記録する。この際、編集前の動画像ファイルに代えて編集後の動画像ファイルを上書き記録するか、編集前の動画像ファイルと別のファイルとして編集後の動画像ファイルを記録するかは、メニュー操作により選択可能に構成されている。
【００７２】
ステップＳ３１において、ＭＰＵ１０１は、静止画撮影後に取得された動画像について、動画再生を再開してステップＳ２５へ戻る。これにより、次のチャプタの１つ前のフレーム画像まで動画再生を行うことになる。
【００７３】
上述した図１２のフローチャートによれば、上記通常の動画撮影で取得した動画像を再生する場合は、チャプタが存在しないので、上記ステップＳ２４を否定判定して図１２の処理を終了することになる。
【００７４】
また、上記動画撮影中に静止画撮影を行う場合（その１）に取得した動画像を再生する場合は、チャプタが１つ存在するので、ステップＳ２９を否定判定することなく（すなわち、Ｓ２５〜Ｓ２８の処理を繰り返すことなしに）、１回だけ動画再生を停止して「不要部分」を削除するか否かの操作を受け付けることになる。
【００７５】
さらにまた、上記動画撮影中に静止画撮影を行う場合（その２）に取得した動画像を再生する場合は、チャプタが複数存在し得るので、チャプタの数に応じてＳ２５〜Ｓ２８の処理を繰り返しながら、動画再生の停止と、「不要部分」を削除するか否かの操作受け付けとを、繰り返すことになる。
【００７６】
以上説明した実施形態によれば、次の作用効果が得られる。
（１）電子カメラは、被写体像を撮像する撮像素子１０２と、撮像素子１０２に所定のフレームレートで動画撮影を行わせるＭＰＵ１０１と、動画撮影中に静止画撮影指示を受け付ける全押しスイッチＳＷ２と、動画撮影中に所定の撮影環境変化を検出する加速度センサ１２５／レンズ情報入力回路１１９／測光回路１１５／焦点検出回路１２０と、加速度センサ１２５／レンズ情報入力回路１１９／測光回路１１５／焦点検出回路１２０によって変化が検出された場合に、動画撮影中に取得された動画像に変化検出時を示すチャプタを付与するＭＰＵ１０１と、を備えるようにした。これにより、動画像のうち環境変化時に動画撮影された画像を特定しやすくなるので、たとえば、削除対象にしたり、表示対象から除外するなどの事後処理が容易になる。
【００７７】
（２）ＭＰＵ１０１は、加速度センサ１２５／レンズ情報入力回路１１９／測光回路１１５／焦点検出回路１２０によって変化が検出されてからタイムアップ判定時間内に全押しスイッチＳＷ２が静止画撮影指示を受けた場合に、動画像に変化検出時を示すチャプタを付与するので、静止画撮影のための準備（フレーミングやパンニング、ズーム操作、撮影対象の変更、ピント合わせなど）中である可能性が高い期間に動画撮影された画像を特定しやすくなる。一般に、静止画撮影の準備期間中に動画撮影された画像は不要であることが多いので、動画像のうち不要な部分を特定しやすい。
【００７８】
（３）ＭＰＵ１０１は、変化が検出された時点でチャプタを付与し、タイムアップ判定時間内に静止画撮影指示を受けない場合にチャプタを消去するようにしたので、静止画撮影指示を受けてから遡ってチャプタを付与する場合に比べて処理が容易になる。
【００７９】
（４）加速度センサ１２５を含み、当該電子カメラの縦横の姿勢変化を検出するようにしたので、姿勢変化後の期間に動画撮影された画像を特定しやすくなる。
【００８０】
（５）撮影光学系２１０の変倍率の変化を検出するようにしたので、ズーム調節後の期間に動画撮影された画像を特定しやすくなる。
【００８１】
（６）電子カメラは、動画撮影中に取得された動画像を編集するＭＰＵ１０１を備え、ＭＰＵ１０１は、付与されたチャプタに基づいて、動画像のうち変化検出時から静止画撮影指示までに相当する画像を削除するようにしたので、動画像のうち環境変化時に動画撮影された画像を容易に特定して削除できる。
【００８２】
（７）電子カメラは、動画撮影中に取得された動画像を再生表示する背面液晶制御回路１０８、背面液晶モニタ１４０を備え、背面液晶制御回路１０８、背面液晶モニタ１４０は、付与されたチャプタに基づいて、動画像のうち変化検出時から静止画撮影指示までに相当する画像を除外して再生表示するようにしたので、動画像のうち環境変化時に動画撮影された画像を容易に表示対象から外すことができる。
【００８３】
（変形例１）
上述した説明では、動画撮影処理（図１１）の後、引き続き動画再生処理（図１２）へ進み、該動画再生処理の中で「不要部分」を削除するか否かの選択操作を受け付けるようにした。この代わりに、動画撮影処理（図１１）と動画再生処理（図１２）とを分離し、動画再生処理（図１２）を単独で行うように構成してもよい。
【００８４】
（変形例２）
動画再生処理（図１２）では、動画撮影時において構図変更または変倍率変更を検知してから静止画撮影するまでの斜線帯相当時間（図６、図７）に取得した動画像を「不要部分」の候補として再生を省略する例（簡易再生と呼ぶ）を説明した。この代わりに、「不要部分」を含めて再生する（完全再生と呼ぶ）ようにしてもよい。すなわち、図６または図７において動画撮影時に取得した順に、黒帯相当時間に取得した動画像と、「不要部分」候補の斜線帯相当時間に取得した動画像と、網掛け帯相当時間に取得した動画像（図７の場合）とを、それぞれ動画撮影時と同様のフレームレートで再生する。「不要部分」を再生する／しないの切替えは、たとえば、メニュー操作により選択可能に構成しておき、あらかじめ一方を設定しておく。
【００８５】
（変形例３）
上述した説明では、静止画撮影のための準備開始時をカメラの姿勢変化、または焦点距離の変化（変倍率の変化）によって検出する例を説明した。これに加えて、焦点調節状態（デフォーカス量やフォーカス調節レンズ位置など）の変化や、測光に関するデータの変化から、静止画撮影のための準備開始時を検出してもよい。一般に、構図の変化によって主要被写体が変わるとピント合わせをし直す可能性が高い。このため、デフォーカス量の変化、またはフォーカス調節レンズ位置の変化を静止画撮影のための準備開始の判断に用いると好適である。また、主要被写体が変わると被写体輝度も変化する可能性が高い。このため、測光に関するデータの変化を静止画撮影のための準備開始の判断に用いると好適である。
【００８６】
以上の説明はあくまで一例であり、上記の実施形態の構成に何ら限定されるものではない。
【符号の説明】
【００８７】
１０１…ＭＰＵ
１０２…撮像素子
１０８…背面液晶制御回路
１１５…測光回路
１１９…レンズ情報入力回路
１２０…焦点検出回路
１２３…設定操作部材
１２５…加速度センサ
１４０…背面液晶モニタ
２１０…撮影光学系
ＳＷ２…全押しスイッチ
【図１】
2012138813.tif 000003
【図２】
2012138813.tif 000004
【図３】
2012138813.tif 000005
【図４】
2012138813.tif 000006
【図５】
2012138813.tif 000007
【図６】
2012138813.tif 000008
【図７】
2012138813.tif 000009
【図８】
2012138813.tif 000010
【図９】
2012138813.tif 000011
【図１０】
2012138813.tif 000012
【図１１】
2012138813.tif 000013
【図１２】
2012138813.tif 000014